(57)【特許請求の範囲】
【請求項１】
断熱筐体を構成する前面パネルに設けられた開口部の前側にてスライド可能に配置され、開口部の開閉を行うスライド扉を有するプレハブ貯蔵庫において、
前記スライド扉の裏面側の下端近傍に設けられ、スライド扉の下端と断熱筐体を構成する床パネルの床面との間を閉塞するゴム部材と、
前記ゴム部材をスライド扉の裏面に取り付ける取付板と、
前記前面パネルの前面に前記取付板の板面に対向して配設され、スライド扉がスライドしている間にスライド扉の裏面に当接し、スライド扉のスライドに従って回転可能に軸支され、弾性材料から形成されたローラ部材と、を備えることを特徴とするプレハブ貯蔵庫。
【請求項２】
前記開口部の端縁に配設され、スライド扉の裏面と対向する保護部が形成された開口枠部材を備え、
前記ローラ部材は、開口枠部材の保護部よりもスライド扉側に突出されていることを特徴とする請求項１に記載のプレハブ貯蔵庫。
【発明の詳細な説明】
【０００１】
【発明の属する技術分野】
本発明は、プレハブ冷蔵庫、冷凍庫等を構成する断熱筐体の前面に設けられた開口部をスライド扉により開閉するプレハブ貯蔵庫に関し、特に、スライド時にスライド扉が断熱筐体の前面パネル側に揺動することを防止可能なプレハブ貯蔵庫に関するものである。
【０００２】
【従来の技術】
従来より、プレハブ式の大型冷蔵庫、冷凍庫等の貯蔵庫に形成された開口部の前側にスライド扉を配設し、かかるスライド扉を介して開口部の開閉を行う各種のプレハブ貯蔵庫が提案されている。
【０００３】
例えば、実公昭６３−１１６９号公報、実開平２−５５０７９号公報、特開平１１−５０７３０号公報に記載された貯蔵庫においては、スライド扉の上端部にローラを回動可能に支持するとともに下端前面に傾斜面を有する傾斜部材を設け、ローラを貯蔵庫本体に設けられた開口部の上部に配設されたレールに移動可能に吊り下げ、また、スライド扉の閉塞時に傾斜部材を設置床面に設けられたローラに当接するように構成している。
【０００４】
これらの貯蔵庫において、スライド扉の閉塞時には、スライド扉下端前面に設けられた傾斜部材と設置床面のローラとが当接してスライド扉が開口部の前面側に押圧されており、これよりスライド扉の裏面側に設けられたパッキンと開口部の前面側周囲とが密着されて貯蔵庫内の気密性が保持される。また、スライド扉の開放時には、その上端部のローラがレールに沿って案内移動され、開口部の開放が行われる。
【０００５】
【発明が解決しようとする課題】
ところで、前記従来の貯蔵庫においては、スライド扉の開放時、スライド扉上端部のローラが貯蔵庫本体開口部の上部におけるレールを介して案内されつつ移動するものであるが、このようにスライド扉が移動している間に、スライド扉が前後方向（スライド方向に対して直角方向）に揺動することを防止する構成は、何ら設けられていない。
【０００６】
このとき、スライド扉の上部は、ローラとレールとの間の遊嵌関係に基づき、スライド扉の前後方向への揺動は規制されるものであるが、スライド扉の下部を前後方向に規制する構成は存在していないことから、開閉動作を行っている間にスライド扉の下部は前後方向に揺動してしまう虞がある。特に、プレハブ貯蔵庫には、その大きなサイズに合わせて大型のスライド扉が使用されており、その下部における揺動幅はかなり大きいものとなる。
【０００７】
このようにスライド扉の下部が揺動すると、その開閉動作をスムーズに行うことは困難なものとなり、また、スライド扉の下部が貯蔵庫の前面壁に衝突する虞があり、かかる場合には貯蔵庫の前面壁やスライド扉が損傷したり破損してしまうこととなる。
【０００８】
本発明は前記従来の問題点を解消するためにさなたれものであり、スライド時にスライド扉が断熱筐体の前面パネル側に揺動することを防止可能とし、もって前面パネル及びスライド扉が損傷、破損することなく、スライド扉のスライド動作をスムーズに行うことができるプレハブ貯蔵庫を提供することを目的とする。
【０００９】
【課題を解決するための手段】
前記目的を達成するため請求項１に係るプレハブ貯蔵庫は、断熱筐体を構成する前面パネルに設けられた開口部の前側にてスライド可能に配置され、開口部の開閉を行うスライド扉を有するプレハブ貯蔵庫において、前記スライド扉の裏面側の下端近傍に設けられ、スライド扉の下端と断熱筐体を構成する床パネルの床面との間を閉塞するゴム部材と、前記ゴム部材をスライド扉の裏面に取り付ける取付板と、前記前面パネルの前面に前記取付板の板面に対向して配設され、スライド扉がスライドしている間にスライド扉の裏面に当接し、スライド扉のスライドに従って回転可能に軸支され、弾性材料から形成されたローラ部材と、を備えることを特徴とする。
【００１０】
前記構成を有する請求項１のプレハブ貯蔵庫では、断熱筐体を構成する前面パネルの前面に、スライド扉がスライドしている間にスライド扉の裏面と当接可能なローラ部材が配設されているので、スライド扉の開閉スライド時にスライド扉が前面パネル側に向かって揺動した場合においても、スライド扉の裏面はローラ部材に当接される。これより、スライド扉と前面パネルとが衝突することがなくなり、従って、前面パネル及びスライド扉が損傷、破損することなく、スライド扉のスライド動作をスムーズに行うことができる。
【００１１】
また、請求項１のプレハブ貯蔵庫において、前記ローラ部材は、スライド扉のスライドに従って回転可能に軸支され、弾性材料から形成されている。つまり、かかるローラ部材は、スライド扉の開閉スライド動作に対応して回転されることから、スライド扉の開閉動作を極めてスムーズに行うことができる。
また、請求項１のプレハブ貯蔵庫は、前記スライド扉の裏面側の下端近傍に設けられ、スライド扉の下端と断熱筐体を構成する床パネルの床面との間を閉塞するゴム部材と、前記ゴム部材をスライド扉の裏面に取り付ける取付板とを備え、前記ローラ部材は、前記取付板の板面に対向して配置されている。ここで、ローラ部材は、スライド扉の下端と断熱筐体を構成する床パネルの床面との間を閉塞するゴム部材をスライド扉の裏面に取り付ける取付板の板面に対向して配置されているので、スライド扉の開閉スライド時にローラ部材は取付板の板面に接触しつつ回転することとなる。従って、ローラ部材は、スライド扉の裏面に対して直接当接することはなく、スライド扉の外側本体を薄板で構成する場合においても、かかる外側本体が損傷、変形することを防止することができる。
【００１２】
更に、請求項２に係るプレハブ貯蔵庫は、請求項１のプレハブ貯蔵庫において、前記開口部の端縁に配設され、スライド扉の裏面と対向する保護部が形成された開口枠部材を備え、前記ローラ部材は、開口枠部材の保護部よりもスライド扉側に突出されていることを特徴とする。請求項２のプレハブ貯蔵庫では、開口部端縁の保護及び閉塞時にスライド扉と前面パネルとの間の気密性の保持を目的として開口部の端縁に、スライド扉の裏面と対向する保護部が形成された開口枠部材を配設した場合においても、ローラ部材は開口枠部材の保護部よりもスライド扉側に突出されているので、スライド扉の開閉スライド時にスライド扉の裏面と開口枠部材の保護部との衝突が確実に防止される。これより、スライド扉や開口枠部材が損傷したり破損することを防止することが可能となる。
【００１３】
【００１４】
【発明の実施の形態】
以下、本発明に係るプレハブ貯蔵庫について、本発明を具体化した実施形態に基づき図面を参照しつつ詳細に説明する。先ず、本実施形態に係るプレハブ貯蔵庫の構成について図１乃至図図５に基づき説明する。図１はスライド扉を閉塞した状態を示すプレハブ貯蔵庫の斜視図、図２はスライド扉の保護板とローラ支持部材との関係を部分的に示す斜視図、図３はスライド扉を貯蔵庫の庫内側から見て示す斜視図、図４はスライド扉と前面パネルとの関係を部分的に示す平断面図、図５はスライド扉と前面パネルとの関係を示す部分側断面図である。
【００１５】
図１において、プレハブ貯蔵庫１は、複数の断熱パネルを連結組立して構成された断熱筐体２を有しており、この断熱筐体２の前面側（図１中手前側）には、複数の前面パネル３が配置されている。各前面パネル３内、断熱筐体２の前面中央部に配置された２つの前面パネル３に渡って、開口部４（図４参照）が設けられており、また、かかる開口部４の開閉を行うべく各前面パネル３の前面に沿ってスライド可能に構成された２つのスライド扉５が配設されている。尚、各スライド扉５は、両者が接する端面を基準に対称な構成を有しており、基本的には同一の構成を有する。
【００１６】
ここで、スライド扉５のスライド機構について説明する。断熱筐体２における各前面パネル３の上部には、水平方向に６つのレール支持部材６が固定されている。各レール支持部材６は、断面視で略「コ」字状に形成されている各レール支持部材６に渡ってレール７が掛装されている。
【００１７】
また、各スライド扉５の上部両側には、ローラ支持部材８が取り付けられており、各ローラ支持部材８の上部には、回転可能に支持されたローラ９が取り付けられている。各ローラ９は、レール７上に載置されている。また、各スライド扉５の前面側には、手動にて開閉を行う時に把持される取って１０が取り付けられている。
【００１８】
前記したスライド扉５のスライド機構において、各スライド扉５が開口部４を閉塞している図１に示す状態から、左側のスライド扉５を矢印Ａ方向に、右側のスライド扉５を矢印Ｂ方向に移動させると、各スライド扉５の上部両側における各ローラ支持部材８に支持された各ローラ９がそれぞれ矢印Ａ及び矢印Ｂ方向にレール７上を転動していき、各ローラ９がレール７に形成されたローラ停止部（図示せず）にて停止される。これにより開口部４が開放される。
【００１９】
また、前記した開口部４の開放状態から左側のスライド扉５を反矢印方向Ａに、右側のスライド扉５を反矢印方向Ｂに移動されると、各スライド扉５の上部両側における各ローラ支持部材８に支持された各ローラ９がそれぞれ反矢印Ａ及び反矢印Ｂ方向にレール７上を転動していき、各ローラ９がレール７に形成されたストッパ部（図示せず）にて停止される。これにより開口部４は各スライド扉５を介して閉塞されて図１に示す状態となる。
【００２０】
各スライド扉５の下端前面には、スライド扉５の幅方向全体に渡って金属製の保護板１１がネジ１２を介して固定されている。かかる保護板１１には、図４に示すように、各スライド扉５の幅方向における略中央位置から前面側（図４中下側）に向かって除々に傾斜した傾斜部１１Ａ、及び、傾斜部１１Ａに連続し傾斜部１１Ａとは反対方向に若干傾斜折曲された折曲部１１Ｂが一体に形成されている。更に、スライド扉５の端部（図４中右端部）には、その角部に密着され且つ傾斜部１１Ａと折曲部１１Ｂとの連結部を裏面側から支持する形状を有する硬質ゴム製のブロック部材１９がネジ（図示せず）を介して取り付けられている。このブロック部材１９は、後述するように、スライド扉５の閉塞時に折曲部１１Ｂとローラ１５とが当接した際に、その弾性力により折曲部１１Ｂや傾斜部１１Ａの塑性変形、破壊を防止し、且つ、ローラ１５を介して折曲部１１Ｂが押圧されることに基づいてスライド扉５による開口部４の密閉効果を発現する作用を行うものである。
【００２１】
また、プレハブ貯蔵庫１の設置床面には、図１及び図２に示すように、２つのローラ支持部材１３が固設されており、かかるローラ支持部材１３に設けられた支持軸１４には、各スライド扉５の保護板１１に接触可能なローラ１５が回転可能に支持されている。
【００２２】
尚、ローラ支持部材１３の底板１６には、２つの長講１７が形成されており、ローラ支持部材１３は、各長講１７に締結されるボルト１８を介して設置床面に固定される。各スライド扉５の保護板１１に対するローラ１５の位置（接触状態）は、各長講１７におけるボルト１８の相対位置を適宜変更調節することにより、調節可能にされている。
【００２３】
また、各ローラ支持部材１３は、図１に示すように、左側スライド扉５の左下端位置、及び、右側スライド扉５の右下端位置に設置されている。
【００２４】
図４に示すように、スライド扉５の端部（図４中右端部）における裏面側でスライド扉５の高さ方向の全体に渡って軟質ゴム製のパッキン部材２０が取り付けられており、かかるパッキン部材２０は、各スライド扉５による開口部４の閉塞時、開口部４の内側全体に渡って取り付けられる開口枠部材２１（後述する）に当接して貯蔵庫１内の気密性を保持するものである。
【００２５】
プレハブ貯蔵庫１の庫内側において、各スライド扉５の裏面側の下端近傍には、図３に示すように、ゴム取付部材２２が配置されている。かかるゴム取付部材２２は、木製のスペーサ板Ｗ（図５参照）の両面側から下方にゴム板２３が所定長さ垂下されるようにゴム板２３を木製スペーサ板Ｗの回りに配置し、更に、板金加工により箱状に形成された取付板２４内に木製スペーサ板Ｗと共にゴム板２３を嵌合することにより構成されている。このように構成されるゴム取付部材２２は、頭部が突出していない皿ネジ２５を介してスライド扉５の下端部に締結固定されている。
【００２６】
ここに、下方に所定長さ垂下されたゴム板２３は、スライド扉５の下端と床面２６との間を閉塞する作用を行い、プレハブ貯蔵庫１の庫内から冷気が外部に漏出することを防止する。また、木製スペーサ板Ｗ及びゴム板２３は、取付板２４により被覆されるので、外部に露出されることはなく、見栄えが良好となり、また、木製スペーサ板Ｗの耐食性も向上する。
【００２７】
断熱筐体２の開口部４を画定する前面パネル３の内側端縁の全周に渡って、図４、図３に示すように、開口枠部材２１が配設されており、かかる開口枠部材２１には、スライド扉５の裏面と対向して保護部２７が一体に形成されている。ここに、開口枠部材２１は開口部４の端縁部を保護するために配設されるものであり、また、保護部２７は、スライド扉５の閉塞時にパッキン部材２０と密着され、これによりスライド扉５と前面パネル３との間の気密性を保持するものである。
【００２８】
また、前面パネル３の前面側（図４中下面側）には、所謂キャスタ２８が配設されており、このキャスタ２８は、金属製支持部材２９に回転可能に軸支され、ゴム弾性材料から形成されたローラ３０を有している。キャスタ２８のローラ３０は、図４に示すように、開口枠部材２１の保護部２７よりもスライド扉５の裏面側に突出するように配置されており、また、前記した取付板２４の板面２４Ａに対向し、且つ、接触するように配置されている。
【００２９】
ここに、キャスタ２８のローラ３０は、開口枠部材２１の保護部２７よりもスライド扉５の裏面側に突出するように配置されているので、スライド扉５の開閉スライド動作を行った際にスライド扉５が前面パネル３側（図４中上側）に向かって揺動した場合においても、ローラ３０が取付板２４の板面２４Ａに当接することとなる。これより、スライド扉５と前面パネル３とが衝突することはなくなり、従って、前面パネル３及びスライド扉５が損傷、破損することなく、スライド扉５のスライド動作をスムーズに行うことができる。
【００３０】
また、スライド扉５が開閉スライドされた場合、ローラ３０は取付板２４の板面２４Ａに沿って回転しながら移動していくことから、スライド扉５の開閉スライド動作を極めてスムーズに行うことができる。
【００３１】
更に、開口部４の端縁の保護及び開口部４の閉塞時にスライド扉５と前面パネル３との間の気密性の保護を目的として開口部４の内側端縁に、保護部２７を有する開口枠部材２１を配設した場合においても、ローラ３０は開口枠部材２１の保護部２７よりもスライド扉５の裏面側に突出するように配置されていることから、スライド扉５の開閉スライド時にスライド扉５の裏面と開口枠部材２１の保護部２７との衝突は確実に防止することができる。従って、スライド扉５や開口枠部材２１が損傷したり破損することを防止することができる。
【００３２】
また、スライド扉５の開閉スライド時に、ローラ３０は取付板２４の板面２４Ａに接触しつつ回転することから、ローラ３０はスライド扉５の裏面に直接当接することはなく、スライド扉５の外側本体を薄板で構成した場合においても、かかる外側本体が損傷、変形することを防止することができる。更に、ゴム取付部材２２は、頭部が突出していない皿ネジ２５を介してスライド扉５の下端部に締結固定されているので、ローラ３０が板面２４Ａに接触する際に皿ネジが邪魔になることは何らなく、また、ローラ３０は板面２４Ａ上をスムーズに回転することから、スライド扉５の開閉スライド動作を静粛に行うことができる。
【００３３】
前記構成において、図１に示すように、各スライド扉５が開口部４を閉塞している状態では、プレハブ貯蔵庫１の設置床面に固設されたローラ支持部材１３のローラ１５は、保護板１１の折曲部１１Ｂに当接してスライド扉５を前面パネル３の前面側に向かって押圧しており、また、パッキン部材２０は開口枠部材２１の保護部２７に密着している。従って、かかる閉塞状態においては、プレハブ貯蔵庫１の庫内とスライド扉５との間では良好な気密性が保持されている。
【００３４】
そして、スライド扉５を矢印Ｂ方向（図１、図４参照）にスライドして開放動作開始すると、ローラ１５は、折曲部１１Ｂを外れるとともに傾斜部１１Ａに接触し、この後傾斜部１１Ａから離間する。また、これと対応してパッキン部材２０は保護部２７から離間する。このとき、前面パネル３におけるキャスタ２８のローラ３０は、取付板２４の板面２４Ａに接触しつつ回転する。
【００３５】
更に、スライド扉５を開放していくと、パッキン部材２０はローラ３０を乗り越えていく、このとき、パッキン部材２０は軟質ゴム製であり、また、ローラ３０は回転するので、パッキン部材２０がローラ３０を乗り越えるにつき何ら支障はない。そして、スライド扉５はその開放位置までスライドされて開口部４は完全に開放される。尚、スライド扉５を閉塞する場合には、前記したと逆の動作が行われる。
【００３６】
尚、本発明の要旨は前記実施形態に限定されることはなく、本発明の要旨を逸脱しない範囲内で種々の改良、変形が可能であることは勿論である。
【００３７】
例えば、前記実施形態においては、前面パネル３の前面側に、スライド扉５に設けられたゴム取付部材２２における取付板２４の板面２４Ａに常時接触してスライド扉５のスライド動作に従って回転するローラ３０を有するキャスタ２８を取り付けるように構成されているが、かかるキャスタ２８に限定されるものではない。例えば、ゴム等の弾性材料から形成された弾性部材を、開口枠部材２１の保護部２７よりもスライド扉５側に突出し、且つ、取付板２４の板面２４Ａに接触するように取り付ける構成であってもよい。このとき、弾性部材が板面２４Ａと接触する部分には、板面２４Ａとの間の摺動抵抗が小さくなるように加工したり、フィルム材を貼付することが望ましい。その他、弾性部材の個数は１個に限らず必要に応じて適宜増加することができる。
【００３８】
また、スライド扉５の前面側に取り付けられる保護板１１は、全体に渡って一体に構成することなく、図６に示すように、板厚の小さい平板１１Ｃと平板１１Ｃよりも板厚が大きい屈曲板１１Ｄとに２分割する構成であってもよい。この場合、スライド扉５の左端から幅方向の略中央部までは平板１１Ｃとし、また、平板１１Ｃに隣接して配置される屈曲板１１Ｄには、水平部１１Ｅ、傾斜部１１Ａ、折曲部１１Ｂが一体に形成される。
【００３９】
前記のように、保護板１１を平板１１Ｃと屈曲板１１とに２分割した場合には、平板１１Ｃとして板厚の小さいものを使用できるので、保護板１１の材料費を低減してコストの削減を図ることが可能となる。
【００４０】
【発明の効果】
以上説明した通り本発明によれば、スライド時にスライド扉が断熱筐体の前面パネル側に揺動することを防止可能とし、もって前面パネル及びスライド扉が損傷、破損することなく、スライド扉のスライド動作をスムーズに行うことができるプレハブ貯蔵庫を提供することができる。
【図面の簡単な説明】
【図１】  スライド扉を閉塞した状態を示すプレハブ貯蔵庫の斜視図である。
【図２】  スライド扉の保護板とローラ支持部材との関係を部分的に示す斜視図である。
【図３】  スライド扉を貯蔵庫の庫内側から見て示す斜視図である。
【図４】  スライド扉と前面パネルとの関係を部分的に示す平断面図である。
【図５】  スライド扉と前面パネルとの関係を示す部分側断面図である。
【図６】  保護板の他の例を示す説明図である。
【符号の説明】
１・・・プレハブ貯蔵庫、２・・・断熱筐体、３・・・前面パネル、４・・・開口部、５・・・スライド扉、２１・・・開口枠部材、２２・・・ゴム取付部材、２３・・・ゴム板、２４・・・取付板、２４Ａ・・・板面、２６・・・床パネル、２６・・・床面、２７・・・保護部、２８・・・キャスタ、２９・・・支持部材、３０・・ローラ
【図１】
0003875114.tif 000002
【図２】
0003875114.tif 000003
【図３】
0003875114.tif 000004
【図４】
0003875114.tif 000005
【図５】
0003875114.tif 000006
【図６】
0003875114.tif 000007